(57)【要約】【課題】計算機を構成するモジュールについて、故障発生時に可視光ＬＥＤの表示情報から故障特定を容易にする診断システムを得る。【解決手段】計算機１０１を構成する各モジュールに、モジュールの状態を示す可視光を特定の点滅周期で発光するＬＥＤを設け、診断装置１０９は、ＬＥＤの発光する可視光を受光し、この受光した可視光の点滅周期をＬＥＤ受光部１８１で読み取り、可視光の点滅周期が変化するつど、変化した時刻と点滅周期とを対応付けて状態記録リスト１８２に格納し、ＬＥＤの点滅周期及びこれに対応する診断情報及びその対処方法を予め定義した対処方法選択表１８３を用いて、状態記録リスト１８２の点滅周期と対処方法選択表１８３のＬＥＤの点滅周期とを照合することによりモジュールの故障を診断する。【選択図】図１
2010113463.tif 000002
【特許請求の範囲】
【請求項１】
複数のモジュールにより構成された計算機、及びこの計算機の故障を診断する診断装置を備え、
上記計算機は、上記モジュールにそれぞれ設けられ、上記モジュールの状態を示す可視光を上記モジュールの状態に応じた特定の点滅周期で発光するＬＥＤと、このＬＥＤが発光する可視光の上記特定の点滅周期を設定する手段とを有し、
上記診断装置は、上記ＬＥＤの発光する可視光を受光し、この受光した可視光の上記点滅周期を読み取るＬＥＤ受光部と、上記ＬＥＤの点滅周期が変化するつど、上記変化した時刻と上記ＬＥＤの点滅周期とを対応付けて格納した状態記録リストと、上記ＬＥＤの点滅周期及びこれに対応する診断情報及びその対処方法を予め定義した対処方法選択表とを有し、
上記状態記録リストの上記ＬＥＤの点滅周期と上記対処方法選択表の上記ＬＥＤの点滅周期とを照合することにより、上記モジュールの故障を診断するとともに、上記故障に対する対処方法を選定することを特徴とする診断システム。
【請求項２】
複数のモジュールにより構成された計算機、及びこの計算機の故障を診断する診断装置を備え、
上記計算機は、上記モジュールにそれぞれ設けられ、発光する可視光の点滅周期を変更できるように構成された複数のＬＥＤと、上記モジュールの故障が発生したとき、故障していないモジュールが上記故障情報を受信する手段と、上記モジュールの故障に応じて、上記ＬＥＤが発光する可視光の点滅周期を設定する手段とを有し、
上記故障していないモジュールのいずれかの上記ＬＥＤから上記設定された点滅周期の可視光を発光し、
上記診断装置は、上記ＬＥＤの発光する可視光を受光し、この受光した可視光の上記点滅周期を読み取るＬＥＤ受光部と、上記ＬＥＤの点滅周期が変化するつど、上記変化した時刻と上記ＬＥＤの点滅周期とを対応付けて格納した状態記録リストと、上記ＬＥＤの点滅周期及びこれに対応する診断情報及びその対処方法を予め定義した対処方法選択表とを有し、
上記状態記録リストの上記ＬＥＤの点滅周期と上記対処方法選択表の上記ＬＥＤの点滅周期とを照合することにより、上記モジュールの故障を診断するとともに、上記故障に対する対処方法を選定することを特徴とする診断システム。
【請求項３】
それぞれ複数のモジュールにより構成され、冗長化された計算機、及びこの計算機の故障を診断する診断装置を備え、
上記各計算機は、発光する可視光の点滅周期を変更できるように構成されたＬＥＤと、上記モジュールの状態に応じて、上記ＬＥＤが発光する可視光の点滅周期を設定する手段とを有し、
上記冗長化された計算機のいずれかのＬＥＤから上記設定された点滅周期の可視光を発光し、
上記診断装置は、上記ＬＥＤの発光する可視光を受光し、この受光した可視光の上記点滅周期を読み取るＬＥＤ受光部と、上記ＬＥＤの点滅周期が変化するつど、上記変化した時刻と上記ＬＥＤの点滅周期とを対応付けて格納した状態記録リストと、上記ＬＥＤの点滅周期及びこれに対応する診断情報及びその対処方法を予め定義した対処方法選択表とを有し、
上記状態記録リストの上記ＬＥＤの点滅周期と上記対処方法選択表の上記ＬＥＤの点滅周期とを照合することにより、上記モジュールの故障を診断するとともに、上記故障に対する対処方法を選定することを特徴とする診断システム。
【請求項４】
上記診断装置は、広域ネットワークに、上記診断した上記モジュールの故障及びこの故障に対する対処方法に関する情報を発信するためのネットワークインタフェースカードを有することを特徴とする請求項３記載の診断システム。
【請求項５】
上記診断装置は、上記ＬＥＤの点滅周期が変化するつど、上記変化した時刻と上記ＬＥＤの点滅周期とを対応付けて、履歴として記録する状態履歴記録装置を有することを特徴とする請求項１記載の診断システム。
【発明の詳細な説明】
【技術分野】
【０００１】
この発明は、ＬＥＤ故障表示情報の取得による診断で、複数のモジュールから構成される計算機の故障特定を容易にする診断システムに関するものである。
ここで、モジュールとは、ＩＯカード、ノード装置、電源ユニットなどを指す。
【背景技術】
【０００２】
従来、複数のモジュールから構成される計算機においては、それぞれの部位で故障状態を表す可視光ＬＥＤを複数装備し、検知した警告や故障を表す可視光ＬＥＤを点灯あるいは消灯させることで、その部位の状態を示していた。これら可視光ＬＥＤが点灯することで、ユーザは計算機の正常、あるいは警告や異常などの状態を知ることができ、また警告や異常が発生した部位を知ることができる。
特許文献１では、故障状態を示すＬＥＤを点灯するだけではなく、故障したモジュールを切り離した時点のＬＥＤの状態を不揮発性レジスタに保存して、モジュールの持ち帰りテスト時に不揮発性レジスタを見ることで、故障箇所を容易に判断できるようにしている。
【０００３】
【特許文献１】特開平７−３１１６９７号公報（第３〜５頁、図１）
【発明の開示】
【発明が解決しようとする課題】
【０００４】
従来、計算機の製品出荷前テストでは、試験専用装置を用いてテストを行い、可視光ＬＥＤが点灯することで正常、あるいは異常や警告などの状態遷移を目視で確認するため、試験結果の確認に時間がかかっていた。
また、製品出荷後に計算機の故障が発生した場合には、カードの物理的破壊や電源の供給停止、あるいは再起動などの状態遷移を行う操作が発生すると、故障状態を表す可視光ＬＥＤの状態はそのまま保持されない。
また、計算機から離れた場所にユーザがいる場合、正常あるいは異常や警告などの状態遷移から故障に至る過程を可視光ＬＥＤで知ることはできなかった。
また、特許文献１に示されるような従来の計算機では、モジュールに装備された不揮発性メモリや外部記憶装置にログを記録していたが、不揮発性メモリや外部記憶装置が故障すると、記録が採取できないという問題があった。
【０００５】
この発明は、上記のような課題を解決するためになされたものであり、計算機を構成するモジュールについて、故障発生時に可視光ＬＥＤの表示情報から故障特定を容易にする診断システムを得ることを目的としている。
【課題を解決するための手段】
【０００６】
この発明に係わる診断システムにおいては、複数のモジュールにより構成された計算機、及びこの計算機の故障を診断する診断装置を備え、
計算機は、モジュールにそれぞれ設けられ、モジュールの状態を示す可視光をモジュールの状態に応じた特定の点滅周期で発光するＬＥＤと、このＬＥＤが発光する可視光の特定の点滅周期を設定する手段とを有し、
診断装置は、ＬＥＤの発光する可視光を受光し、この受光した可視光の点滅周期を読み取るＬＥＤ受光部と、ＬＥＤの点滅周期が変化するつど、変化した時刻とＬＥＤの点滅周期とを対応付けて格納した状態記録リストと、ＬＥＤの点滅周期及びこれに対応する診断情報及びその対処方法を予め定義した対処方法選択表とを有し、
状態記録リストのＬＥＤの点滅周期と対処方法選択表のＬＥＤの点滅周期とを照合することにより、モジュールの故障を診断するとともに、故障に対する対処方法を選定するものである。
【発明の効果】
【０００７】
この発明は、以上説明したように、、複数のモジュールにより構成された計算機、及びこの計算機の故障を診断する診断装置を備え、
計算機は、モジュールにそれぞれ設けられ、モジュールの状態を示す可視光をモジュールの状態に応じた特定の点滅周期で発光するＬＥＤと、このＬＥＤが発光する可視光の特定の点滅周期を設定する手段とを有し、
診断装置は、ＬＥＤの発光する可視光を受光し、この受光した可視光の点滅周期を読み取るＬＥＤ受光部と、ＬＥＤの点滅周期が変化するつど、変化した時刻とＬＥＤの点滅周期とを対応付けて格納した状態記録リストと、ＬＥＤの点滅周期及びこれに対応する診断情報及びその対処方法を予め定義した対処方法選択表とを有し、
状態記録リストのＬＥＤの点滅周期と対処方法選択表のＬＥＤの点滅周期とを照合することにより、モジュールの故障を診断するとともに、故障に対する対処方法を選定するので、短時間でＬＥＤの状態を確認することができ、モジュールの故障発生時に可視光ＬＥＤの表示情報から故障特定を容易に行うことができる。
【発明を実施するための最良の形態】
【０００８】
実施の形態１．
以下、この発明の実施の形態１を図に基づいて説明する。
図１は、この発明の実施の形態１による診断システムを示す構成図である。
図１において、計算機１０１は、複数のＩＯカード１０２〜１０５と、複数のノード装置１０７〜１０８と、電源ユニット１０６の各モジュールにより構成されている。ＩＯカード１０２には、その状態を示すＬＥＤ１１１〜１１５が装備され、ＩＯカード１０３には、その状態を示すＬＥＤ１２１〜１２５が装備され、ＩＯカード１０４には、その状態を示すＬＥＤ１３１〜１３５が装備され、ＩＯカード１０５には、その状態を示すＬＥＤ１４１〜１４５が装備されている。
電源ユニット１０６には、その状態を示すＬＥＤ１５１〜１５３が装備されている。
ノード装置１０７には、その状態を示すＬＥＤ１６１〜１６３が装備され、ノード装置１０８には、その状態を示すＬＥＤ１７１〜１７３が装備されている。
【０００９】
計算機１０１を診断する診断装置１０９は、ＬＥＤ１１１〜１７３からの光情報を受信するためのＬＥＤ受光部１８１を持ち、書き換え可能な対処方法選択データ１８５を有している。さらに、診断装置１０９は、ＬＥＤ１１１〜１７３の状態を状態変化したときに記録する状態記録リスト１８２と、ＬＥＤ１１１〜１７３からの光情報と、その意味を示す情報である診断情報と、診断情報に対する対処方法を記載した対処方法選択表１８３とを、メモリ１８４上に持っている。
【００１０】
図２は、この発明の実施の形態１による診断システムの故障箇所の特定を行う処理を示すフローチャートである。
図２（ａ）は計算機の処理、図２（ｂ）は診断装置の初期化処理、図２（ｃ）は診断装置の故障箇所の特定を行う処理である。
【００１１】
図３は、この発明の実施の形態１による診断装置の状態記録リストを示す図である。
図３において、ＬＥＤの点滅周期の変化による状態変化したときのＬＥＤ状態変化時刻の値Ｔ１を有するＬＥＤ状態変化時刻３０１と、状態変化したＬＥＤの点滅周期数の値Ｌ１を有するＬＥＤ点滅周期数３０２の欄を設けている。ＬＥＤ状態変化時刻３０１とＬＥＤ点滅周期数３０２は、１行ごとに対応するデータである。
【００１２】
図４は、この発明の実施の形態１による診断装置の対処方法選択表を示す図である。
図４において、ＬＥＤ点滅周期数を有するＬＥＤ点滅周期４０１と、このＬＥＤ点滅周期数に対応する各ＬＥＤの状態（該当するモジュールの状態）を定義した診断情報４０２と、各ＬＥＤの状態に対する対処方法を定義した対処方法４０３の欄を設けている。ＬＥＤ点滅周期４０１と診断情報４０２と対処方法４０３とは、１行ごとに対応している。
【００１３】
次に、動作について、図２に示すフローチャートを用いて説明する。
まず、図２（ａ）で、計算機１０１のＬＥＤ１１１〜１７３は、情報発信指示を受けて、点滅周期を、モジュールの状態に対応したそれぞれ特定値に設定し、発光することで、可視光通信により、正常、あるいは警告や故障などの情報を発信する（ステップＳ１：ＬＥＤの特定の点滅周期を設定する手段）。
【００１４】
一方、図２（ｂ）で、診断装置１０９は、対処方法選択データ１８５のデータを読み込み（ステップＳ１１）、メモリの初期化を行って、対処方法選択表１８３がメモリ１８４上に表形式で展開されるようにする（ステップＳ１２）。
【００１５】
対処方法選択表１８３がメモリ１８４上に表形式で展開された後に、図２（ｃ）で、診断装置１０９は、計算機１０１の近傍に設置され、ＬＥＤ受光部１８１により、ＬＥＤ１１１〜１７３の点滅周期を読み取ることで、情報を受信する（ステップＳ２１）。
受信した情報からＬＥＤ１１１〜１７３の状態に変化があった場合に、メモリ１８４上にある状態記録リスト１８２に対し、変化した時刻とＬＥＤ点滅周期を記録する（ステップＳ２２）。ＬＥＤ状態変化時刻３０１とＬＥＤ点滅周期数３０２に、ＬＥＤ状態変化時刻の値Ｔ１と状態変化したＬＥＤの点滅周期数の値Ｌ１を状態記録リスト１８２に書き込んだ例を図３に示す。
【００１６】
状態記録リスト１８２に記録されたＬＥＤ点滅周期と、メモリ１８４上にある対処方法選択表１８３にあらかじめ用意されたＬＥＤ点滅周期とを比較することで、ＬＥＤの状態（該当するモジュールの状態）が正常なのか、異常あるいは警告の状態なのかの故障診断を行う（ステップＳ２３）。
図４に対処方法選択表１８３を例示する。図３の状態記録リスト１８２に記録された状態変化したＬＥＤの点滅周期数の値Ｌ１が、図４のＬＥＤ点滅周期４０１の列の値と一致するかどうかを比較し、一致した点滅周期に対応する診断情報４０２を選ぶことにより故障診断を行う。
次に故障診断を行った結果により、図４で、故障診断したときの診断情報４０２に対応する対処方法４０３を選んで、対処方法を決定する（ステップＳ２４）。
【００１７】
実施の形態１によれば、これらの動作によって、計算機の製品出荷前のテストを行い、ユーザが計算機を構成するモジュールに装備されている多数のＬＥＤの状態を確認しなければならない場合でも、短時間でＬＥＤの状態を確認できるため、試験結果の確認時間が短縮できる。
また、ＬＥＤの点滅周期の意味を示す情報が記載された対処方法選択表と、計算機を構成するモジュールに装備されているＬＥＤの点滅周期の状態を定期的に比較することで、計算機を構成するモジュールが正常に動作しているか、あるいは警告・故障の状態なのかを監視することができ、出荷された製品の故障発生時にＬＥＤ故障表示情報から診断した故障特定と的確な対処を行うことができる。
【００１８】
実施の形態２．
以下、この発明の実施の形態２を図に基づいて説明する。
図５は、この発明の実施の形態２による診断システムを示す構成図である。
図５において、１０１〜１０９、１１１〜１１５、１２１〜１２５、１３１〜１３５、１４１〜１４５、１５１〜１５３、１６１〜１６３、１７１〜１７３、１８１〜１８５は図１におけるものと同一のものである。図５では、各ＩＯカード１０２〜１０５、各ノード装置１０７〜１０８、電源ユニット１０６に、それぞれ可視光ＬＥＤを用いて通信を行うためのＬＥＤ及びＬＥＤ点滅周期を変えるための発光変調器を設けている。
すなわち、ＩＯカード１０２に可視光ＬＥＤを用いて通信を行うためのＬＥＤ１１６、ＩＯカード１０３にＬＥＤ１２６、ＩＯカード１０４にＬＥＤ１３６、ＩＯカード１０５にＬＥＤ１４６、電源ユニット１０６にＬＥＤ１５４、ノード装置１０７にＬＥＤ１６４、ノード装置１０８にＬＥＤ１７４を装備している。また、ＬＥＤ点滅周期を変えるための発光変調器１１７、１２７、１３７、１４７、１５５、１６５、１７５を、それぞれＩＯカード１０２〜１０５、電源ユニット１０６、ノード装置１０７、１０８に設けている。
【００１９】
図６は、この発明の実施の形態２による診断システムの故障箇所の特定を行う処理を示すフローチャートである。
図６（ａ）は、計算機の処理、図６（ｂ）は、診断装置の故障箇所の特定を行う処理である。
【００２０】
図７は、この発明の実施の形態２による計算機のＬＥＤ点滅周期を決定する方法を示す図である。
図７において、モジュールの状態５０１ごとに、対応するＬＥＤ点滅周期５０２が示されている。
【００２１】
実施の形態１では、ＬＥＤ１１１〜１７３の全てが点滅周期をそれぞれ特定値に設定し発光していたが、実施の形態２では、ＩＯカードのＬＥＤ１１６、１２６、１３６、１４６、電源ユニットのＬＥＤ１５４、ノード装置のＬＥＤ１６４、１７４が点滅周期を変えて発光し、ＬＥＤの可視光通信を行うことにより診断装置１０９に情報を伝達するようにしている。
【００２２】
次に、動作について図６に示すフローチャートを用いて説明する。
まず、図６（ａ）で、計算機１０１を構成する故障していないモジュールは、他モジュールが故障した場合の故障情報を受信する（ステップＳ３１：モジュールの故障が発生したとき、故障していないモジュールが故障情報を受信する手段）。故障情報に応じてＬＥＤの点滅周期を決める（ステップＳ３２：モジュールの故障に応じて、ＬＥＤが発光する可視光の点滅周期を設定する手段）。ここで、点滅周期を決定する例として、図７に示すモジュールの状態５０１から、対応するＬＥＤ点滅周期５０２を得る。
次に、故障モジュールの情報を、変換されたＬＥＤ点滅周期で、ＬＥＤ１１６、１２６、１３６、１４６、１５４、１６４、１７４のいずれかにより、可視光ＬＥＤで発信する（ステップＳ３３）。このとき、点滅周期を変えて複数回に分けて情報を発信することで、多数の情報を一度に送付することができる。
図６（ｂ）の処理は、図２（ｃ）の処理と同じであり、その説明を省略する。
【００２３】
実施の形態２によれば、これらの動作によって、診断装置は、計算機を構成するモジュールの可視光ＬＥＤから多数の情報を得ることができ、それらの情報から診断を行い、故障特定と的確な対処を行うことができる。
【００２４】
実施の形態３．
以下、この発明の実施の形態３を図に基づいて説明する。
図８は、この発明の実施の形態３による診断システムを示す構成図である。
図８において、１０１〜１０９、１８１〜１８５は図１におけるものと同一のものである。計算機１０１及び計算機２０１は、ローカルネットワーク６０１で接続された冗長化構成を取っており、どちらか一方の計算機が運転し、もう一方の計算機は待機している。計算機２０１は、計算機１０１と同じ構成であり、ＩＯカード２０２〜２０５、電源ユニット２０６、ノード装置２０７、２０８を装備している。
さらに、それぞれの計算機１０１、２０１は、点滅周期を変えて発光できるＬＥＤ１９１、ＬＥＤ１９２を装備し、ＬＥＤ点滅周期を変えるための発光変調器１９３、１９４を設けている。
【００２５】
図９は、この発明の実施の形態３による診断システムの故障箇所の特定を行う処理を示すフローチャートである。
図９（ａ）は計算機の処理、図９（ｂ）は診断装置の故障箇所の特定を行う処理である。
【００２６】
実施の形態１では、複数のＬＥＤが点滅周期をそれぞれ特定値に設定し発光していたが、実施の形態３は、ＬＥＤ１９１とＬＥＤ１９２のいずれかのＬＥＤで、可視光通信を行うことにより診断装置１０９に情報を伝達するようにした。
【００２７】
次に、動作について図９に示すフローチャートを用いて説明する。
実施の形態３では、可視光通信を行うＬＥＤは、ＬＥＤ１９１とＬＥＤ１９２のみである。まず、図９（ａ）で、計算機を構成するモジュールの状態を取得する（ステップＳ４１）。モジュールの状態から、ＬＥＤ点滅周期を決める（ステップＳ３２：モジュールの状態に応じて、ＬＥＤが発光する可視光の点滅周期を設定する手段）。故障モジュールの情報を可視光ＬＥＤで発信する（ステップＳ３３）。このとき、点滅周期を変えて複数回に分けて情報を発信することで、多数の情報を一度に送付することができる。
図９（ｂ）の処理は、図６（ｂ）の処理と同じであり、その説明を省略する。
【００２８】
実施の形態３によれば、これらの動作によって、計算機に唯一装備された可視光ＬＥＤから発信された可視光通信は、他のＬＥＤの可視光通信の干渉を受けないため、診断装置は、多数の情報を正確に得ることができ、受信した情報から診断を行い、故障特定とこれに対応した的確な対処を行うことができる。
【００２９】
実施の形態４．
以下、この発明の実施の形態４を図に基づいて説明する。
図１０は、この発明の実施の形態４による診断システムを示す構成図である。
図１０において、１０１〜１０９、１８１〜１８５、１９１〜１９４、２０１〜２０８、６０１は図８におけるものと同一のものである。図１０では、冗長化構成の計算機を診断する診断装置１０９に、ＮＩＣ（Ｎｅｔｗｏｒｋ  Ｉｎｔｅｒｆａｃｅ  Ｃａｒｄ）１８６を設け、さらに広域ネットワーク６０２で接続された遠隔地のＰＣ１８７を設けたものである。
【００３０】
図１１は、この発明の実施の形態４による診断システムの故障箇所の特定を行う処理を示すフローチャートである。
図１１（ａ）は計算機の処理、図１１（ｂ）は診断装置の処理、図１１（ｃ）はＰＣの処理である。
【００３１】
実施の形態３では、ＬＥＤの可視光通信を行うことにより診断装置１０９に計算機の状態を示す情報を伝達し、診断装置１０９で対処方法を判断していたが、実施の形態４は、診断装置の外部に診断情報を発信するようにしたものである。
【００３２】
次に、動作について、図１１のフローチャートを用いて説明する。
図１１（ａ）の処理は、図９（ａ）の処理と同じであり、その説明を省略する。
図１１（ｂ）のステップＳ２１〜Ｓ２４の処理は、図９（ｂ）の処理と同じである。図１１（ｂ）では、ステップＳ２４に次いで、診断したモジュールの故障及びこの故障に対する対処方法に関するデータの暗号化処理を行い（ステップＳ２５）、ＮＩＣ１８６からこれらの診断情報を送信する（ステップＳ２６）。
図１１（ｃ）では、診断装置１０９から送信された診断情報を、遠隔地のＰＣ１８７で受信し（ステップＳ５１）、復号化処理を行う（ステップＳ５２）。
【００３３】
実施の形態４によれば、これらの動作によって、遠隔地でも計算機のモジュールの診断情報を得ることができる。
【００３４】
実施の形態５．
以下、この発明の実施の形態５を図に基づいて説明する。
図１２は、この発明の実施の形態５による診断システムを示す構成図である。
図１２において、１０１〜１０９、１１１〜１１５、１２１〜１２５、１３１〜１３５、１４１〜１４５、１５１〜１５３、１６１〜１６３、１７１〜１７３、１８１〜１８５は図１におけるものと同一のものである。図１２では、図１の計算機構成の診断装置１０９に、過去の状態遷移の履歴を記録する状態履歴記録装置１８８を設けたものである。
【００３５】
図１３は、この発明の実施の形態５による診断システムの故障箇所の履歴を保存する処理を示すフローチャートである。
図１３（ａ）は計算機の処理、図１３（ｂ）は診断装置の処理である。
【００３６】
次に、動作について、図１３を用いて説明する。
実施の形態１では、ＬＥＤ状態変化から状態記録リスト１８２に情報を記録していたが、実施の形態５は、状態履歴記録装置１８８を設け、過去の状態遷移の履歴を記録するようにしている。
図１３（ａ）の処理は、図２（ａ）の処理と同じであり、その説明を省略する。
図１３（ｂ）のステップＳ２１〜Ｓ２４は、図２（ｂ）のステップＳ２１〜Ｓ２４の処理と同じである。
図１３（ｂ）では、ステップＳ２３で故障診断を行う前に、可視光の点滅周期が変化するつど、変化した時刻と点滅周期とを対応付けて、履歴として状態履歴記録装置１８８に記録する処理であるステップＳ６１が加わっている。
【００３７】
実施の形態５によれば、過去の状態遷移の履歴情報を得ることができるため、ＬＥＤを順番に点ける等の定型的なテストの結果を容易に確認することができるようになり、計算機の製品出荷前のテストにおける試験結果の確認時間が短縮できる。
また、計算機が故障した際に、状態履歴記録装置を参照することで、どのような経緯で故障に至ったかを容易に判断することができる。
【図面の簡単な説明】
【００３８】
【図１】この発明の実施の形態１による診断システムを示す構成図である。
【図２】この発明の実施の形態１による診断システムの故障箇所の特定を行う処理を示すフローチャートである。
【図３】この発明の実施の形態１による診断装置の状態記録リストを示す図である。
【図４】この発明の実施の形態１による診断装置の対処方法選択表を示す図である。
【図５】この発明の実施の形態２による診断システムを示す構成図である。
【図６】この発明の実施の形態２による診断システムの故障箇所の特定を行う処理を示すフローチャートである。
【図７】この発明の実施の形態２による診断装置のＬＥＤ点滅周期を決定する表を示す図である。
【図８】この発明の実施の形態３による診断システムを示す構成図である。
【図９】この発明の実施の形態３による診断システムの故障箇所の特定を行う処理を示すフローチャートである。
【図１０】この発明の実施の形態４による診断システムを示す構成図である。
【図１１】この発明の実施の形態４による診断システムの故障箇所の特定を行う処理を示すフローチャートである。
【図１２】この発明の実施の形態５による診断システムを示す構成図である。
【図１３】この発明の実施の形態５による診断システムの故障箇所の履歴を保存する処理を示すフローチャートである。
【符号の説明】
【００３９】
１０１  計算機
１０２〜１０５  ＩＯカード
１０６  電源ユニット
１０７、１０８  ノード装置
１０９  診断装置
１１１〜１１６  ＬＥＤ
１１７  発光変調器
１２１〜１２６  ＬＥＤ
１２７  発光変調器
１３１〜１３６  ＬＥＤ
１３７  発光変調器
１４１〜１４６  ＬＥＤ
１４７  発光変調器
１５１〜１５４  ＬＥＤ
１５５  発光変調器
１６１〜１６４  ＬＥＤ
１６５  発光変調器
１７１〜１７４  ＬＥＤ
１７５  発光変調器
１８１  ＬＥＤ受光部
１８２  状態記録リスト
１８３  対処方法選択表
１８４  メモリ
１８５  対処方法選択データ
１８６  ＮＩＣ
１８７  ＰＣ
１８８  状態履歴記録装置
１９１、１９２  ＬＥＤ
１９３、１９４  発光変調器
２０１  計算機
２０２〜２０５  ＩＯカード
２０６  電源ユニット
２０７、２０８  ノード装置
６０１  ローカルネットワーク
６０２  広域ネットワーク
【図１】
2010113463.tif 000003
【図２】
2010113463.tif 000004
【図３】
2010113463.tif 000005
【図４】
2010113463.tif 000006
【図５】
2010113463.tif 000007
【図６】
2010113463.tif 000008
【図７】
2010113463.tif 000009
【図８】
2010113463.tif 000010
【図９】
2010113463.tif 000011
【図１０】
2010113463.tif 000012
【図１１】
2010113463.tif 000013
【図１２】
2010113463.tif 000014
【図１３】
2010113463.tif 000015